(57)【要約】【課題】動作の信頼性を維持しつつ、配置の自由度を高めること。【解決手段】電源装置４２は、第１変換回路４３ｃと第１制御回路４３ｄと第２変換回路４４ａと第２制御回路４４ｂと第１基板４３１と第２基板４４１とを備えている。第１基板４３１には、第１変換回路４３ｃ及び第１制御回路４３ｄを構成する複数個の第１回路部品４３２が実装される。第２基板４４１には、第２変換回路４４ａ及び第２制御回路４４ｂを構成する複数個の第２回路部品４４２が実装される。第１制御回路４３ｄは、第２制御回路４４ｂから給電されることで第１変換回路４３ｃを制御する。第２制御回路４４ｂは、入力される交流電力を監視し、交流電力が第１変換回路４３ｃに入力されているときのみ、第１制御回路４３ｄに給電する。【選択図】図１
2019033648.tif 000002
【特許請求の範囲】
【請求項１】
入力される交流電力を第１直流電力に変換する第１変換回路と、
前記第１変換回路を制御する第１制御回路と、
前記第１直流電力を前記第１直流電力の電圧レベルとは異なる電圧レベルの第２直流電力に変換して負荷に供給する第２変換回路と、
前記第２変換回路を制御する第２制御回路と、
前記第１変換回路及び第１制御回路を構成する複数個の第１回路部品が実装される第１基板と、
前記第２変換回路及び前記第２制御回路を構成する複数個の第２回路部品が実装される第２基板と、
を備え、
前記第１変換回路の出力端と前記第２変換回路の入力端とは互いに電気的に接続され、
前記第１制御回路は、前記第２制御回路と電気的に接続され、前記第２制御回路から給電されることで前記第１変換回路を制御し、
前記第２制御回路は、入力される前記交流電力を監視するように構成され、
前記第２制御回路は、前記交流電力が前記第１変換回路に入力されているときのみ、前記第１制御回路に給電するように構成されている
ことを特徴とする電源装置。
【請求項２】
前記第２制御回路は、交流電圧が周期的にゼロクロスすることで、前記交流電力が前記第１変換回路に入力されていると判定する
ことを特徴とする請求項１記載の電源装置。
【請求項３】
前記第２変換回路は、高調波成分を減衰させるフィルタ回路を前段回路として有している
ことを特徴とする請求項１又は２記載の電源装置。
【請求項４】
前記フィルタ回路は、交流電圧の周波数の２倍以上で、かつ、前記第１変換回路又は前記第２変換回路の発振周波数の最小値以下である遮断周波数を、有している
ことを特徴とする請求項３記載の電源装置。
【請求項５】
前記第２制御回路は、前記入力端に入力された前記第１直流電力から前記第１制御回路へ給電するための制御電力を生成する制御電源回路を有し、
前記第１変換回路は、一対の前記出力端間に接続されたコンデンサを有し、
前記コンデンサは、前記第１変換回路への前記交流電力の入力が停止したときに、前記第２制御回路の動作を所定の時間以上継続するためのエネルギーを前記制御電源回路に供給可能なキャパシタンスを有している
ことを特徴とする請求項１〜４のいずれか１項に記載の電源装置。
【請求項６】
前記第２制御回路は、前記フィルタ回路を通過した前記第１直流電力から前記第１制御回路へ給電するための制御電力を生成する制御電源回路を有し、
前記第１変換回路は、一対の前記出力端間に接続された第１コンデンサを有し、
前記フィルタ回路は、少なくとも第２コンデンサを有し、
前記第１コンデンサ及び前記第２コンデンサの合計キャパシタンスは、前記第１変換回路への前記交流電力の入力が停止したときに、前記第２制御回路の動作を所定の時間以上継続するためのエネルギーを前記制御電源回路に供給可能なキャパシタンスである
ことを特徴とする請求項３又は４記載の電源装置。
【請求項７】
第１電線、第２電線、及び第３電線を、更に備え、
前記第１変換回路の出力端と前記第２変換回路の入力端とは、前記第１電線を介して互いに電気的に接続され、
前記第２制御回路は、前記第２電線を介して前記交流電力を監視し、
前記第２制御回路は、前記第３電線を介して前記第１制御回路に給電する
ことを特徴とする請求項１〜６のいずれか１項に記載の電源装置。
【請求項８】
請求項１〜７のいずれか１項に記載の電源装置と、前記負荷として固体光源と、を備える
ことを特徴とする照明装置。
【請求項９】
第１基板に回路部品が実装された第１変換回路により、入力される交流電力を第１直流電力に変換すること、
第２基板に回路部品が実装された第２変換回路により、前記第１直流電力を前記第１直流電力の電圧レベルとは異なる電圧レベルの第２直流電力に変換して負荷に供給すること、
前記第１変換回路に入力される前記交流電力を監視すること、
前記交流電力が前記第１変換回路に入力されているときのみ、前記第１変換回路を制御する制御回路に給電すること、
を備える
ことを特徴とする制御方法。
【発明の詳細な説明】
【技術分野】
【０００１】
本発明は、一般に電源装置、照明装置、及び制御方法に関し、より詳細には、負荷に所定の直流電力を供給する電源装置、当該電源装置を備えた照明装置、及び、制御方法に関する。
【背景技術】
【０００２】
従来例として、特許文献１記載の電源装置を例示する。この電源装置は、常用点灯装置と非常用点灯装置とを備えている。常用点灯装置は第１回路基板を含み、この第１回路基板には、端子部、整流器、スイッチング電源部、昇圧チョッパ回路、及びバックコンバータ回路が実装されている。また、非常用点灯装置は第２回路基板を含み、この第２回路基板には、端子部、非常用電源端子、充電回路、及び点灯回路が実装されている。そして、特許文献１には、第１回路基板と第２回路基板とが互いに分離された別の基板であり、これらが、端子部を介して配線接続又はコネクタ接続されることが記載されている。
【０００３】
この特許文献１では、常用点灯装置と非常用点灯装置とを個別の回路基板で構成することで、回路仕様の変更、例えば共通の常用点灯装置に対して、非常用点灯装置を異ならしめることが容易となると記載されている。
【先行技術文献】
【特許文献】
【０００４】
【特許文献１】特開２０１６−２０７３１１号公報
【発明の概要】
【発明が解決しようとする課題】
【０００５】
ところで、電源装置が例えば照明装置に用いられるとき、電源装置を収容する照明装置の筐体の形あるいは寸法によっては、特許文献１の常用点灯装置の第１回路基板を、更に２つの回路基板に分割して配置させることが望まれる場合もある。これにより、筐体内における常用点灯装置に関する回路基板の配置の自由度が更に高められる。
【０００６】
しかし、特許文献１には、単に、常用点灯装置と非常用点灯装置とが個別の回路基板で構成する点についてのみ記載されているだけある。仮に、特許文献１記載の常用点灯装置を適当な位置で２つの回路基板に分割し、これらを単にケーブル（電線）で電気的に接続するだけでは、当該ケーブルの断線又はコネクタの抜け等の異常が発生すると不適切な動作が行われてしまう可能性がある。また、当該ケーブルがアンテナとなり電磁ノイズの障害が発生して動作が不安定になるという可能性もある。
【０００７】
本発明は上記事由に鑑みてなされ、動作の信頼性を維持しつつ、配置の自由度を高めることができる電源装置、照明装置、及び制御方法を提供することを目的とする。
【課題を解決するための手段】
【０００８】
本発明の一態様に係る電源装置は、第１変換回路と、第１制御回路と、第２変換回路と、第２制御回路と、第１基板と、第２基板と、を備える。前記第１変換回路は、入力される交流電力を第１直流電力に変換する。前記第１制御回路は、前記第１変換回路を制御する。前記第２変換回路は、前記第１直流電力を前記第１直流電力の電圧レベルとは異なる電圧レベルの第２直流電力に変換して負荷に供給する。前記第２制御回路は、前記第２変換回路を制御する。前記第１基板には、前記第１変換回路及び第１制御回路を構成する複数個の第１回路部品が実装される。前記第２基板には、前記第２変換回路及び前記第２制御回路を構成する複数個の第２回路部品が実装される。前記第１変換回路の出力端と前記第２変換回路の入力端とは互いに電気的に接続される。前記第１制御回路は、前記第２制御回路と電気的に接続され、前記第２制御回路から給電されることで前記第１変換回路を制御する。前記第２制御回路は、入力される前記交流電力を監視するように構成される。前記第２制御回路は、前記交流電力が前記第１変換回路に入力されているときのみ、前記第１制御回路に給電するように構成されている。
【０００９】
本発明の一態様に係る照明装置は、前記電源装置と、前記負荷として固体光源と、を備える。
【００１０】
本発明の一態様に係る制御方法は、第１基板に回路部品が実装された第１変換回路により、入力される交流電力を第１直流電力に変換すること、を備える。また、前記制御方法は、第２基板に回路部品が実装された第２変換回路により、前記第１直流電力を前記第１直流電力の電圧レベルとは異なる電圧レベルの第２直流電力に変換して負荷に供給すること、を備える。更に、前記制御方法は、前記第１変換回路に入力される前記交流電力を監視すること、前記交流電力が前記第１変換回路に入力されているときのみ、第１変換回路を制御する制御回路に給電すること、を備える。
【発明の効果】
【００１１】
本発明は、動作の信頼性を維持しつつ、配置の自由度を高めることができる、という利点がある。
【図面の簡単な説明】
【００１２】
【図１】図１は、本発明の一実施形態に係る電源装置の概略回路ブロック図である。
【図２】図２は、本発明の一実施形態に係る照明装置の分解斜視図である。
【図３】図３は、同上の電源装置を備えた電源ユニットの平面図である。
【図４】図４は、同上の電源ユニットの分解斜視図である。
【図５】図５は、同上の照明装置におけるＬＥＤモジュールの平面図である。
【図６】図６は、同上の照明装置を備えた照明器具の分解斜視図である。
【発明を実施するための形態】
【００１３】
（１）概要
以下の実施形態は、本発明の様々な実施形態の一つに過ぎない。以下の実施形態は、本発明の目的を達成できれば、設計等に応じて種々の変更が可能である。
【００１４】
本実施形態の電源装置４２は、図１に示すように、負荷に所定の直流電力を供給するように構成されている。本実施形態の負荷は、一例として固体光源である。電源装置４２は、図１に示すように、固体光源として例えば複数個のＬＥＤ（Light Emitting Diode）素子５２（５２ａ，５２ｂ），５３（５３ａ，５３ｂ）を備える照明装置２に用いられる。ただし、固体光源は、ＬＥＤ素子に限定されるものではなく、有機エレクトロルミネセンス素子等のＬＥＤ素子以外の固体光源であってもよい。
【００１５】
電源装置４２は、図１に示すように、第１変換回路４３ｃと、第１制御回路４３ｄと、第２変換回路４４ａと、第２制御回路４４ｂと、第１基板４３１と、第２基板４４１と、を備えている。第１変換回路４３ｃは、入力される交流電力を第１直流電力に変換する。第１制御回路４３ｄは、第１変換回路４３ｃを制御する。第２変換回路４４ａは、第１直流電力を第１直流電力の電圧レベルとは異なる電圧レベルの第２直流電力に変換して負荷（ＬＥＤ素子５２，５３）に供給する。第２制御回路４４ｂは、第２変換回路４４ａを制御する。
【００１６】
第１基板４３１には、第１変換回路４３ｃ及び第１制御回路４３ｄを構成する複数個の第１回路部品４３２が実装される。第２基板４４１には、第２変換回路４４ａ及び第２制御回路４４ｂを構成する複数個の第２回路部品４４２が実装される。第１変換回路４３ｃの出力端Ｔ１，Ｔ２と第２変換回路４４ａの入力端Ｔ３，Ｔ４とは互いに電気的に接続される。
【００１７】
第１制御回路４３ｄは、第２制御回路４４ｂと電気的に接続され、第２制御回路４４ｂから給電されることで第１変換回路４３ｃを制御する。第２制御回路４４ｂは、入力される交流電力（脈流電圧Ｖｒ）を監視するように構成される。第２制御回路４４ｂは、交流電力が第１変換回路４３ｃに入力されているときのみ、第１制御回路４３ｄに給電するように構成されている。
【００１８】
この構成によれば、第２制御回路４４ｂは、交流電力が第１変換回路４３ｃに入力されているときのみ、第１制御回路４３ｄに給電するように構成されている。そのため、例えば、回路基板の配置スペースを考慮して回路基板を２つに分割してケース内に収容することが要求される場合であっても、動作の信頼性を維持しつつ、配置の自由度を高めることができる。
【００１９】
（２）詳細
（２．１）照明装置の全体構成
以下、本実施形態の電源装置４２、及び電源装置４２を備えた照明装置２について、図１〜図６を参照して詳しく説明する。照明装置２は、図２に示すように、ケース３と、電源ユニット４と、ＬＥＤモジュール５と、２つのレンズブロック６とを備える。以下では、照明装置２の上下、左右、前後の方向を、図６に図示されている上下、左右、前後の矢印を用いて規定して説明する。これらの矢印は、単に説明を補助する目的で記載しているに過ぎず、実体を伴わない。
【００２０】
（２．２）ケース
ケース３は、図２に示すように、第１ケース３１と、第２ケース３２とを有している。第１ケース３１は、鋼板等の金属板により、下面に開口を有する矩形箱状に形成されている。第２ケース３２は、鋼板等の金属板により略矩形板状に形成されている。第１ケース３１の上面の中央には長円形の凹部３１１が形成されており、凹部３１１の中央には円形の孔３１２が上下方向に貫通している。また、第２ケース３２の中央には円形の孔３２１が上下方向に貫通している。さらに、第２ケース３２の長手方向の一端側には、矩形状の貫通孔３２４が上下方向に貫通している。
【００２１】
第１ケース３１の下面開口の縁には、長手方向に沿って鍔部３１３が形成されている。また、第２ケース３２の長手方向の縁は下方に折り曲げられており、第２ケース３２は、その前後端において、長手方向（左右方向）に沿った一対の側壁３２２を有している。さらに、各側壁３２２の下端には長手方向に沿って鍔部３２３が形成されている。そして、鍔部３２３が鍔部３１３にねじ止めされることによって、第２ケース３２は、第１ケース３１の下面を覆うようにして、第１ケース３１に取り付けられる。つまり、第１ケース３１と第２ケース３２とが互いに結合することによって、矩形箱状のケース３が構成されている。そして、ケース３の内部に電源ユニット４が収容されている。
【００２２】
（２．３）ＬＥＤモジュール
ＬＥＤモジュール５は、図２及び図５に示すように、２枚のＬＥＤ基板５１と、各ＬＥＤ基板５１の実装面５１ａ（下面）に実装される複数のＬＥＤ素子５２及び５３（負荷）と、を有している。各ＬＥＤ基板５１は、左右方向に長尺の矩形状に形成されている。２枚のＬＥＤ基板５１は、互いに同一の形状及び寸法を有している。２枚のＬＥＤ基板５１は、例えば、ガラス布基材エポキシ樹脂基板で形成されている。
【００２３】
２枚のＬＥＤ基板５１は、図５に示すように、それぞれの長手方向の第１端５１ｂが互いに対向するように配置されている。各ＬＥＤ基板５１は、第１端５１ｂの中央において、半円形状の切り欠き５１ｃを有している。２枚のＬＥＤ基板５１の第１端５１ｂが互いに対向するように配置することで、２枚のＬＥＤ基板５１の切り欠き５１ｃが１つの円形状の貫通孔５１ｄを形成している。
【００２４】
各ＬＥＤ基板５１の実装面５１ａでは、複数のＬＥＤ素子５２が、実装領域５１ｇにおいて、ＬＥＤ基板５１の長手方向に沿って並ぶように、例えば４列に実装されている。本実施形態では、複数のＬＥＤ素子５２は、昼光色のＬＥＤ素子５２ａ、及び電球色のＬＥＤ素子５２ｂを含んでいる。さらに、各ＬＥＤ基板５１の実装面５１ａでは、複数の電球色のＬＥＤ素子５３が、前縁の近傍と後縁の近傍とに、それぞれ、長手方向に並んで実装されている。本実施形態では、前縁の近傍に配置されているＬＥＤ素子をＬＥＤ素子５３ａと呼び、後縁の近傍に配置されているＬＥＤ素子をＬＥＤ素子５３ｂと呼ぶ。
【００２５】
ＬＥＤ基板５１の実装面５１ａ（下面）及び裏面（上面）には、複数のＬＥＤ素子５２，５３に電気的に接続した導体（銅箔）が形成されている。実装面５１ａの導体と裏面の導体とは、必要であればＬＥＤ基板５１に設けたスルーホールによって互いに電気的に接続してもよい。
【００２６】
ＬＥＤ基板５１には、４つの位置決め孔５１ｈに挿入されたねじによって、第２ケース３２の下面に取り付けられる。
【００２７】
２枚のＬＥＤ基板５１は、図５に示すように、複数の電線５４を介して互いに電気的に接続している。具体的には、各ＬＥＤ基板５１の実装面５１ａには、レセプタクルコネクタ５４１ａ，５４２ａが実装されている。レセプタクルコネクタ５４１ａ，５４２ａは、実装領域５１ｇを挟んでＬＥＤ基板５１の短手方向に並んで配置されている。レセプタクルコネクタ５４１ａ，５４２ａは、ＬＥＤ基板５１の導体に電気的に接続している。レセプタクルコネクタ５４１ａは、プラグコネクタ５４１ｂと挿抜可能に電気的且つ機械的に接続される。１つのレセプタクルコネクタ５４１ａと１つのプラグコネクタ５４１ｂとが、１つのコネクタ５４１を構成している。２つのプラグコネクタ５４１ｂは、複数の電線５４によって電気的に接続されている。
【００２８】
本実施形態の電線５４の数は、一例として、４本である。一方のＬＥＤ基板５１に実装されている複数のＬＥＤ素子５２，５３と、他方のＬＥＤ基板５１に実装されている複数のＬＥＤ素子５２，５３とは、４本の電線５４によってそれぞれ電気的に直列接続される。
【００２９】
すなわち、２枚のＬＥＤ基板５１に実装されている複数のＬＥＤ素子５２ａは電気的に直列接続し、２枚のＬＥＤ基板５１に実装されている複数のＬＥＤ素子５２ｂは電気的に直列接続している。さらに、２枚のＬＥＤ基板５１に実装されている複数のＬＥＤ素子５３ａは電気的に直列接続し、２枚のＬＥＤ基板５１に実装されている複数のＬＥＤ素子５３ｂは電気的に直列接続している。
【００３０】
そして、２つのＬＥＤ基板５１のうち、一方のＬＥＤ基板５１のレセプタクルコネクタ５４２ａには、複数の電線４６１が接続しているプラグコネクタ５４２ｂと挿抜可能に電気的且つ機械的に接続されている。２つのＬＥＤ基板５１のうち、他方のＬＥＤ基板５１のレセプタクルコネクタ５４２ａには、複数の電線４６２が接続しているプラグコネクタ５４２ｂと挿抜可能に電気的且つ機械的に接続されている。なお、１つのレセプタクルコネクタ５４２ａと１つのプラグコネクタ５４２ｂとで１つのコネクタ５４２が構成されている。
【００３１】
すなわち、２枚のＬＥＤ基板５１のうち、一方のＬＥＤ基板５１は、後述する降圧チョッパ回路ＰＳ１−ＰＳ４がそれぞれ出力する負荷電圧Ｖ２１−Ｖ２４の各正電位に電気的に接続する。他方のＬＥＤ基板５１は、降圧チョッパ回路ＰＳ１−ＰＳ４がそれぞれ出力する負荷電圧Ｖ２１−Ｖ２４の各負電位に電気的に接続する。すなわち、降圧チョッパ回路ＰＳ１−ＰＳ４のそれぞれは、電線４６１、一方のＬＥＤ基板５１、電線５４、他方のＬＥＤ基板５１、電線４６２を経由する各閉ループに負荷電流を流すことができる。
【００３２】
（２．４）レンズブロック
２つのレンズブロック６の各々は、図２に示すように、概ね矩形板状のベース６０と、複数のレンズ６１とを有している。複数のレンズ６１は、ベース６０の下面においてベース６０の長手方向に沿って並ぶように、４列に実装されている。各レンズ６１は、ベース６０の下面において下方へ突出した凸形状である。ベース６０と複数のレンズ６１とは、例えば、ガラス又は透光性を有する合成樹脂（アクリル樹脂若しくはポリカーボネート樹脂）の成形体によって一体に形成される。
【００３３】
ベース６０は、両側縁の各中央から外側方向に突出した一対の三角形状のリブ６０１が形成されており、リブ６０１の下面には円柱形状の位置決め用の突起６０２が上方向に突出している。そして、２つの突起６０２が、ＬＥＤ基板５１に形成されている２つの位置決め孔５１ｊ（図５参照）に一対一にかん合することで、レンズブロック６は、ＬＥＤ基板５１と位置決めされる。
【００３４】
ベース６０の長手方向の第１端６０ａには、円弧状の切り欠き６０ｂが形成されている。さらに、ベース６０の長手方向の第２端６０ｃ（第１端６０ａとは反対の端）には、概ね矩形状の透光窓６０ｄが形成されている。そして、上述の位置決め後のレンズブロック６は、円弧状の切り欠き６０ｂがＬＥＤ基板５１の半円形状の切り欠き５１ｃに沿うように、ＬＥＤ基板５１の実装面５１ａ上に配置されている。したがって、２つのレンズブロック６は、それぞれの第１端６０ａが互いに対向するように、２つのＬＥＤ基板５１にそれぞれ取り付けられる。
【００３５】
透光窓６０ｄは、ＬＥＤ基板５１に形成されている切り欠き５１ｆに対向している。そして、２つのレンズブロック６のうち、一方のレンズブロック６の透光窓６０ｄは、切り欠き５１ｆ、及び貫通孔３２４を介して、後述する電源ユニット４の第２基板４４１に配置されている常夜灯及び赤外線受光素子（不図示）に対向している。そして、複数のレンズ６１は、複数のＬＥＤ素子５２に一対一に対向しており、ＬＥＤ基板５１の実装領域５１ｇの下方に設けられている。
【００３６】
（２．５）電源ユニット
（２．５．１）全体構成
電源ユニット４は、図２〜図４に示すように、取付台４０と、ホルダ４１と、電源装置４２を有している。電源装置４２は、交流電源Ｅ１（例えば商用の交流電源）から供給される交流電力を直流電力に変換し、直流電力をＬＥＤモジュール５に供給するように構成されている。電源装置４２は、第１回路ブロック４３と、第２回路ブロック４４と、接続部ＣＮ１と、から構成されている。接続部ＣＮ１は、第１回路ブロック４３と第２回路ブロック４４とを互いに電気的に接続するためのものであり、一対の第１電線Ｌ１１，Ｌ１１と、第２電線Ｌ１２と、第３電線Ｌ１３とを有している。本実施形態では、第１電線Ｌ１１，Ｌ１１、第２電線Ｌ１２及び第３電線Ｌ１３は、図３に示すように、シースで束ねられて１本のケーブルを構成している。
【００３７】
交流電源Ｅ１は、図１に示すように、交流電圧Ｖａｃを電源装置４２に出力する。なお、交流電源Ｅ１と電源装置４２とを繋ぐ電路の途中に設けられたスイッチＳＷ０（図１参照）によって、交流電源Ｅ１から電源装置４２への交流電圧Ｖａｃの入力の入り切りが可能となるように構成されていることが望ましい。
【００３８】
（２．５．２）電源装置（第１回路ブロック）
以下、第１回路ブロック４３について、図１を参照しながら説明する。第１回路ブロック４３は、交流電源Ｅ１から交流電圧Ｖａｃを受け取って昇圧動作を行い、昇圧した直流電圧（昇圧電圧）を出力する力率改善回路４３ａと、力率改善回路４３ａを制御する第１制御回路４３ｄと、を備えている。力率改善回路４３ａは、入力回路４３ｂ、第１変換回路４３ｃ、及び突入電流防止回路４３ｅを有している。
【００３９】
入力回路４３ｂは、例えば、フィルタ回路、及び複数のダイオード（不図示）からなるダイオードブリッジ回路（整流回路）から構成されている。入力回路４３ｂは、力率改善回路４３ａに入力された交流電圧Ｖａｃを全波整流した脈流電圧Ｖｒを生成して第１変換回路４３ｃへ出力する。
【００４０】
突入電流防止回路４３ｅは、例えばサーミスタから構成されており、入力回路４３ｂ（の正極側の出力端）と第１変換回路４３ｃ（正極側の入力端）との間に挿入されている。突入電流防止回路４３ｅにより、電源投入直後における突入電流（過電流）が第１変換回路４３ｃに流れ込むことを抑制している。
【００４１】
第１変換回路４３ｃは、入力される交流電力（脈流電圧Ｖｒ）を第１直流電力に変換するように構成されている。第１変換回路４３ｃは、例えば昇圧チョッパ回路である。第１変換回路４３ｃは、脈流電圧Ｖｒを昇圧し、第１直流電力として、直流電圧Ｖｄｃ（昇圧電圧Ｖｄｃ）を生成する。第１変換回路４３ｃは、その一対の出力端Ｔ１，Ｔ２間に接続されている平滑用のコンデンサＣ１（第１コンデンサ）を有している。コンデンサＣ１は、例えば電解コンデンサである。直流電圧Ｖｄｃは、コンデンサＣ１で平滑されて、後段の第２回路ブロック４４に出力される。なお、図１では、コンデンサＣ１以外の、第１変換回路４３ｃを構成する回路素子（半導体スイッチング素子等）については図示を省略している。
【００４２】
第１制御回路４３ｄは、例えば、コンピュータ、及びドライバ回路等から構成されている。第１制御回路４３ｄは、コンピュータがプログラムを実行することで、第１変換回路４３ｃ内の半導体スイッチング素子のスイッチング制御等を行うように構成されている。このコンピュータは、プログラムを実行するプロセッサを備えたデバイスと、他の装置との間で信号を授受するためのインターフェイス用のデバイスと、プログラムやデータ等を記憶する記憶用のデバイスとを主な構成要素として備える。プロセッサを備えたデバイスは、記憶用のデバイスと別体であるＣＰＵ（Central Processing Unit）またはＭＰＵ（Micro Processing Unit）のほか、記憶用のデバイスを一体に備えるマイクロコンピュータのいずれであってもよい。記憶用のデバイスには、半導体メモリのようにアクセス時間が短い記憶装置が主に用いられる。プログラムの提供形態としては、コンピュータに読み取り可能な半導体メモリ、光ディスク等の記録媒体に予め格納されている形態、インターネット等を含む広域通信網を介して記録媒体に供給される形態等がある。
【００４３】
要するに、第１変換回路４３ｃの回路制御は、第１制御回路４３ｄによって行われる。ただし、第１制御回路４３ｄは、制御電圧（制御電源）Ｖｃｃを、後述する第２回路ブロック４４の第２制御回路４４ｂから受け取るように構成されている。言い換えると、第２制御回路４４ｂからの制御電圧Ｖｃｃの供給が停止しているとき、第１変換回路４３ｃの動作は停止している。
【００４４】
第１回路ブロック４３は、プリント配線板である第１基板（電源基板）４３１を、更に備えている。第１基板４３１には、上述した入力回路４３ｂ、突入電流防止回路４３ｅ、第１変換回路４３ｃ及び第１制御回路４３ｄを構成する複数個の第１回路部品４３２が実装されている。複数個の第１回路部品４３２は、半導体スイッチング素子、サーミスタ、インダクタ、ダイオード、コンデンサ、抵抗器、演算処理用の集積回路の部品、ドライバ回路の部品等を含む。
【００４５】
（２．５．３）電源装置（第２回路ブロック）
以下、第２回路ブロック４４について、図１を参照しながら説明する。第２回路ブロック４４は、第２変換回路４４ａ、及び第２制御回路４４ｂを備えている。第２変換回路４４ａは、第１直流電力を第１直流電力の電圧レベルとは異なる電圧レベルの第２直流電力に変換して、負荷であるＬＥＤモジュール５の複数のＬＥＤ素子５２，５３に供給するように構成されている。第２変換回路４４ａは、第１回路ブロック４３が出力する昇圧電圧Ｖｄｃ（第１直流電力）を、第２直流電力に降圧してＬＥＤモジュール５に直流の負荷電流を供給する降圧型のＤＣ−ＤＣコンバータを構成している。
【００４６】
ここで、第２変換回路４４ａの一対の入力端Ｔ３，Ｔ４と、第１回路ブロック４３の第１変換回路４３ｃの一対の出力端Ｔ１，Ｔ２とは、それぞれ、互いに電気的に接続されている。具体的には、一対の入力端Ｔ３，Ｔ４と一対の出力端Ｔ１，Ｔ２とは、接続部ＣＮ１の一対の第１電線Ｌ１１，Ｌ１１（直流電圧線とグランド線）を介して、接続されている。
【００４７】
第２変換回路４４ａは、フィルタ回路４４０ａと、降圧チョッパブロック４４０ｂと、を有している。フィルタ回路４４０ａは、例えば、インダクタＬ１と、コンデンサＣ２（第２コンデンサ）とから構成されている。フィルタ回路４４０ａは、降圧チョッパブロック４４０ｂの前段回路として設けられており、降圧チョッパブロック４４０ｂのスイッチング動作で発生する高調波成分を減衰させる。なお、フィルタ回路４４０ａは、交流電圧の周波数（例えば５０Ｈｚ又は６０Ｈｚ）の２倍以上で、かつ、第１変換回路４３ｃ又は第２変換回路４４ａの発振周波数の最小値以下である遮断周波数を、有していることが好ましい。
【００４８】
降圧チョッパブロック４４０ｂは、４つの降圧チョッパ回路ＰＳ１−ＰＳ４を有している。４つの降圧チョッパ回路ＰＳ１−ＰＳ４は、第１回路ブロック４３から出力されてフィルタ回路４４０ａで高調波成分が減衰された昇圧電圧Ｖｄｃを、それぞれ、電圧Ｖ２１−Ｖ２４（負荷電圧Ｖ２１−Ｖ２４）に降圧する。４つの降圧チョッパ回路ＰＳ１−ＰＳ４は、負荷電圧Ｖ２１−Ｖ２４を、ＬＥＤ素子５２ａ，５２ｂ，５３ａ，５３ｂに、それぞれ出力する。したがって、これらのＬＥＤ素子は、直流電圧である負荷電圧Ｖ２１−Ｖ２４がそれぞれ印加され、各ＬＥＤ素子に流れる電流も所定の定電流に制御されることになる。なお、第２変換回路４４ａは、非絶縁型ＤＣ−ＤＣコンバータ（降圧チョッパ回路ＰＳ１−ＰＳ４）の代わりに、絶縁型ＤＣ−ＤＣコンバータ（例えばフライバックコンバータ）を有していてもよい。
【００４９】
第２制御回路４４ｂは、制御電源回路ＣＰ１と制御ブロックＣＢ１とを有している。降圧チョッパブロック４４０ｂの回路制御は、第２制御回路４４ｂによって行われる。
【００５０】
制御電源回路ＣＰ１は、電源装置４２を駆動させるための制御電圧（制御電源）Ｖｃｃを生成する。なお、本実施形態では、制御電源回路ＣＰ１は、フィルタ回路４４０ａで高調波成分が減衰された昇圧電圧Ｖｄｃから、制御電圧Ｖｃｃを生成する。ただし、制御電源回路ＣＰ１は、フィルタ回路４４０ａに入力される前の昇圧電圧Ｖｄｃから、制御電圧Ｖｃｃを生成してもよい。
【００５１】
制御ブロックＣＢ１は、コンピュータ、及びドライバ回路等から構成されている。制御ブロックＣＢ１は、コンピュータがプログラムを実行することで、降圧チョッパブロック４４０ｂ内の半導体スイッチング素子のスイッチング制御等を行うように構成されている。また、制御ブロックＣＢ１は、コンピュータ及びドライバ回路以外に、ブザー、常夜灯用のＬＥＤ素子、赤外線受光素子等の周辺回路を有している。これらの周辺回路は、図２に図示されている筒体３２５により周囲を覆うように保護されている。赤外線受光素子は、透光窓６０ｄを通して、赤外線式のリモートコントローラから送信される赤外線信号を受信することができる。制御ブロックＣＢ１は、赤外線受光素子で受信する赤外線信号に含まれるコマンドに応じて、ＬＥＤモジュール５の点灯制御を行うことが好ましい。
【００５２】
上記コンピュータは、プログラムを実行するプロセッサを備えたデバイスと、他の装置との間で信号を授受するためのインターフェイス用のデバイスと、プログラムやデータなどを記憶する記憶用のデバイスとを主な構成要素として備える。プロセッサを備えたデバイスは、記憶用のデバイスと別体であるＣＰＵ又はＭＰＵのほか、記憶用のデバイスを一体に備えるマイクロコンピュータのいずれであってもよい。記憶用のデバイスには、半導体メモリのようにアクセス時間が短い記憶装置が主に用いられる。プログラムの提供形態としては、コンピュータに読み取り可能な半導体メモリ、光ディスク等の記録媒体に予め格納されている形態、インターネット等を含む広域通信網を介して記録媒体に供給される形態等がある。
【００５３】
第２回路ブロック４４は、プリント配線板である第２基板（電源基板）４４１を、更に備えている。つまり、本実施形態の電源装置４２においては、第２基板４４１が、第１基板４３１とは別体に設けられている。第２基板４４１には、上述した第２変換回路４４ａ、及び第２制御回路４４ｂを構成する複数個の第２回路部品４４２が実装されている。複数個の第２回路部品４４２は、半導体スイッチング素子、インダクタ、ダイオード、コンデンサ、抵抗器、演算処理用の集積回路の部品、及びドライバ回路の部品等を含む。
【００５４】
ところで、この第２制御回路４４ｂは、接続部ＣＮ１の第３電線Ｌ１３（制御線）を介して、第１回路ブロック４３の第１制御回路４３ｄと電気的に接続されている。そして、第２制御回路４４ｂは、制御電源回路ＣＰ１で生成した制御電圧Ｖｃｃを、自身の制御ブロックＣＢ１のコンピュータに供給するだけなく、第１回路ブロック４３の第１制御回路４３ｄにも、第３電線Ｌ１３を介して供給するように構成されている。
【００５５】
ただし、第２制御回路４４ｂは、更に、接続部ＣＮ１の第２電線Ｌ１２を介して第１変換回路４３ｃの入力端に入力される脈流電圧Ｖｒを監視（検出）し、脈流電圧Ｖｒが第１変換回路４３ｃに入力されているか否かを判定する判定処理を行なっている。すなわち、第２電線Ｌ１２（入力検知線）は、力率改善回路４３ａへの交流電力の供給が開始されたことを、第１回路ブロック４３から第２回路ブロック４４へ通知するための電線である。そして、第２制御回路４４ｂは、脈流電圧Ｖｒが第１変換回路４３ｃに入力されていると判定したときのみ、制御電圧Ｖｃｃを第１制御回路４３ｄに供給する。この判定処理について、第２制御回路４４ｂは、例えば、脈流電圧Ｖｒに対応した電圧信号が周期的にゼロクロスすることで、脈流電圧Ｖｒが第１変換回路４３ｃに入力されていると判定する。
【００５６】
（２．５．４）取付台と配線回り
以下、取付台４０及び電源ユニット４の配線回りについて、図２〜図４を参照しながら説明する。取付台４０は、合成樹脂のように電気絶縁性を有する材料により矩形の平板状に形成されている。取付台４０には長円形の孔４０１が上下方向に貫通している。取付台４０の下面における孔４０１の周囲には、下向きに突出する長円筒形状の隔壁４０２が設けられている。
【００５７】
第１回路ブロック４３と第２回路ブロック４４とは、隔壁４０２を挟んで取付台４０の長手方向に沿って配置されており、第１基板４３１及び第２基板４４１が、取付台４０の下面にねじ止めされて取り付けられている。つまり、電源装置４２は、取付台４０の下面に取り付けられている。
【００５８】
ここで、電源装置４２の第１基板４３１は、矩形板状に形成されており、図４に示すように、３つの隅部に挿通孔４３６（図４では２つのみ図示）を有している。また、取付台４０の下面において、第１基板４３１の配置箇所には、図３及び図４に示すように、３本の位置決め用の突起４０５ａが突出している。そして、３本の突起４０５ａが３つの挿通孔４３６にそれぞれ挿通することによって、第１基板４３１が取付台４０の下面において位置決めされる。また、隔壁４０２の外周側には係止爪４０７ａが形成されている。そして、係止爪４０７ａが第１基板４３１の表面４３３（下面）を押さえることによって、第１基板４３１は上下方向の位置決めがなされている。
【００５９】
電源装置４２の第２基板４４１は、矩形板状に形成されており、図４に示すように、４つの隅部に挿通孔４４８を有している。また、取付台４０の下面において、第２基板４４１の配置箇所には、図３及び図４に示すように、３本の位置決め用の突起４０５ｂが突出している。そして、４つの挿通孔４４８のうち３つの挿通孔４４８を３本の突起４０５ｂにそれぞれ挿通させることによって、第２基板４４１が取付台４０の下面において位置決めされる。さらに、隔壁４０２の外周側には係止爪４０７ｂが形成されており、取付台４０の右端部には係止爪４０７ｃが形成されている。そして、係止爪４０７ｂ，４０７ｃが第２基板４４１の表面４４３（下面）を押さえることによって、第２基板４４１は上下方向の位置決めがなされている。
【００６０】
また、取付台４０の下面において、図４に示すように、第１基板４３１の裏面４３４（上面）に対向する箇所には、概ね矩形枠形状の凸壁４０９が形成されており、凸壁４０９の内側にシリコン等で生成されたサーマルシートを配置している。サーマルシートは、第１基板４３１の発熱を取付台４０に伝達することで、第１基板４３１を効率よく放熱させる。
【００６１】
第１基板４３１の表面４３３（下面）及び裏面４３４（上面）には、複数個の第１回路部品４３２に電気的に接続した導体（銅箔）が形成されている。表面４３３の導体と裏面４３４の導体とは、必要であれば第１基板４３１に設けたスルーホールによって互いに電気的に接続してもよい。
【００６２】
ここで、第１基板４３１の表面４３３には、レセプタクルコネクタ４３０ａが実装されている。ホルダ４１の筒体４１０には、引掛シーリングアダプタ１０２（図６参照）が挿入され、レセプタクルコネクタ４３０ａは、引掛シーリングアダプタ１０２の電極に電気的に接続しているプラグコネクタ（不図示）と挿抜可能に電気的且つ機械的に接続される。レセプタクルコネクタ４３０ａは、引掛シーリングアダプタ１０２から交流電力を受け取る。また、レセプタクルコネクタ４３０ａは、第１基板４３１の導体に電気的に接続している。言い換えると、レセプタクルコネクタ４３０ａは、第１回路ブロック４３の入力回路４３ｂの入力端に電気的に接続されている。隔壁４０２の外側面には、電線保持部４０４ａが設けられている。電線保持部４０４ａは、電線にかかる張力を抑えるために、レセプタクルコネクタ４３０ａに接続されている電線（不図示）を保持する。
【００６３】
さらに、第１基板４３１の表面４３３には、レセプタクルコネクタ４３５ａが実装されており、レセプタクルコネクタ４３５ａは、第１基板４３１の導体に電気的に接続している。レセプタクルコネクタ４３５ａは、レセプタクルコネクタ４３５ａと一対一に対応するプラグコネクタ４３５ｂと挿抜可能に電気的且つ機械的に接続される。なお、１つのレセプタクルコネクタ４３５ａと１つのプラグコネクタ４３５ｂとで１つのコネクタ４３５が構成されている。
【００６４】
プラグコネクタ４３５ｂは、接続部ＣＮ１の第１電線Ｌ１１，Ｌ１１、第２電線Ｌ１２及び第３電線Ｌ１３の一端に、電気的且つ機械的に接続されている。これら４本の電線の他端には、プラグコネクタ４４５ｂが電気的且つ機械的に接続されている。プラグコネクタ４４５ｂは、第２基板４４１の表面４４３（下面）に実装されているレセプタクルコネクタ４４５ａと挿抜可能に電気的且つ機械的に接続される。第２基板４４１の表面４４３及び裏面４４４（上面）には、複数個の第２回路部品４４２に電気的に接続した導体（銅箔）が形成されている。表面４４３の導体と裏面４４４の導体とは、必要であれば第２基板４４１に設けたスルーホールによって互いに電気的に接続してもよい。そして、レセプタクルコネクタ４４５ａは、第２基板４４１の導体に電気的に接続している。なお、１つのレセプタクルコネクタ４４５ａと１つのプラグコネクタ４４５ｂとで１つのコネクタ４４５が構成されている。隔壁４０２の外側面には、電線保持部４０４ｂが設けられている。電線保持部４０４ｂは、電線にかかる張力を抑えるために、接続部ＣＮ１を保持する。
【００６５】
上述のように、第１回路ブロック４３と第２回路ブロック４４とは、接続部ＣＮ１を介して互いに電気的に接続している。本実施形態では第１電線Ｌ１１，Ｌ１１、第２電線Ｌ１２及び第３電線Ｌ１３が、直流電圧線、グランド線、入力検知線、及び制御線を、それぞれ構成する。
【００６６】
また、図３及び図４に示すように、第２回路ブロック４４では、第２基板４４１の表面４４３に２つのレセプタクルコネクタ４４６ａ，４４７ａがさらに実装されている。レセプタクルコネクタ４４６ａは、降圧チョッパ回路ＰＳ１−ＰＳ４がそれぞれ出力する負荷電圧Ｖ２１−Ｖ２４の各正電位に電気的に接続している。レセプタクルコネクタ４４７ａは、降圧チョッパ回路ＰＳ１−ＰＳ４がそれぞれ出力する負荷電圧Ｖ２１−Ｖ２４の各負電位に電気的に接続している。
【００６７】
そして、レセプタクルコネクタ４４６ａは、レセプタクルコネクタ４４６ａと一対一に対応するプラグコネクタ４４６ｂと挿抜可能に電気的且つ機械的にそれぞれ接続される。プラグコネクタ４４６ｂは、複数の電線４６１の一端に電気的且つ機械的に接続されている。また、レセプタクルコネクタ４４７ａは、レセプタクルコネクタ４４７ａと一対一に対応するプラグコネクタ４４７ｂと挿抜可能に電気的且つ機械的にそれぞれ接続される。プラグコネクタ４４７ｂは、複数の電線４６２の一端に電気的且つ機械的に接続されている。なお、１つのレセプタクルコネクタ４４６ａと１つのプラグコネクタ４４６ｂとで１つのコネクタ４４６が構成されている。また、１つのレセプタクルコネクタ４４７ａと１つのプラグコネクタ４４７ｂとで１つのコネクタ４４７が構成されている。
【００６８】
そして、第２変換回路４４ａの出力（降圧チョッパ回路ＰＳ１−ＰＳ４の各出力）は、複数の電線４６１、４６２を介してＬＥＤモジュール５と電気的に接続される。
【００６９】
（２．５．５）ホルダ
以下、ホルダ４１について具体的に説明する。ホルダ４１は、図３に示すように、引掛シーリングアダプタ１０２（図６参照）を支持する筒体４１０と、筒体４１０と一体に形成された固定板４１１とを有している。固定板４１１は、合成樹脂によって円形の平板状に形成されている。固定板４１１の中央には円形の孔が貫通している。筒体４１０は、合成樹脂によって円筒形に形成されている。筒体４１０は、固定板４１１の下面における孔の周縁から下向きに突出するように固定板４１１と一体に形成されている。ホルダ４１の固定板４１１は、取付台４０にねじ止めされる。ホルダ４１の筒体４１０は、固定板４１１が取付台４０にねじ止めされている状態で隔壁４０２の内側に配置される。隔壁４０２の長円柱形状の内部空間は、長円柱形状の挿入空間４０３であり、ホルダ４１の筒体４１０は、挿入空間４０３に配置されている。
【００７０】
（２．５．６）電源装置の組付け
ここで、天井に対する電源装置４２の組付けについて簡単に説明する。電源ユニット４は、図２に示すように、取付台４０が第１ケース３１にねじ止めされることで第１ケース３１に取り付けられてケース３内に収容される。取付台４０の隔壁４０２の下端が第２ケース３２の孔３２１に挿入される。ホルダ４１の筒体４１０に引掛シーリングアダプタ１０２（図６参照）が挿入される。言い換えると、給電部に相当する引掛シーリングアダプタ１０２が隔壁４０２内の挿入空間４０３に挿入されている。
【００７１】
そして、引掛シーリングアダプタ１０２は、天井に設置されている引掛シーリングボディ１０１（図６参照）に着脱可能に取り付けられる。ケース３は、引掛シーリングアダプタ１０２に着脱可能に取り付けられる。つまり、ケース３は、引掛シーリングアダプタ１０２を介して引掛シーリングボディ１０１に着脱可能に取り付けられ、引掛シーリングアダプタ１０２を介して引掛シーリングボディ１０１に支持される。ただし、引掛シーリングボディ１０１及び引掛シーリングアダプタ１０２は従来周知であるから、詳細な構成の図示及び説明を省略する。
【００７２】
（２．５．７）電源装置の動作説明
以下、電源装置４２の動作について、図１を参照しながら説明する。
【００７３】
最初に、電線Ｌ１１〜Ｌ１３がいずれも断線しておらず、またコネクタ４３５，４４５に抜けやルーズコンタクト状態等が発生してない場合（つまり、配線異常が発生していない場合）における電源装置４２の動作について説明する。
【００７４】
例えばスイッチＳＷ０がオフからオンに切り替えられると、交流電源Ｅ１からの交流電圧Ｖａｃの供給が開始される。第１回路ブロック４３の力率改善回路４３ａでは、入力回路４３ｂが交流電圧Ｖａｃを全波整流した脈流電圧Ｖｒを生成し、突入電流防止回路４３ｅを介して、第１変換回路４３ｃへ出力する。
【００７５】
ただし、この時点では第１制御回路４３ｄは、第２回路ブロック４４の第２制御回路４４ｂから制御電圧Ｖｃｃを受け取っていないので、第１変換回路４３ｃの昇圧動作も開始されていない。一方で、第１変換回路４３ｃ内のコンデンサＣ１は、脈流電圧Ｖｒのピーク電圧に充電され、更に、第１電線Ｌ１１，Ｌ１１を介して、第２回路ブロック４４のフィルタ回路４４０ａのコンデンサＣ２も充電される。
【００７６】
そして、第２制御回路４４ｂの制御電源回路ＣＰ１は、充電されたコンデンサＣ２の両端電圧から、例えば１６Ｖの制御電圧Ｖｃｃを生成して、制御ブロックＣＢ１のコンピュータ（例えばマイクロコンピュータ）に供給する。その結果、制御ブロックＣＢ１のコンピュータが動作を開始する。
【００７７】
次に、第２制御回路４４ｂの制御ブロックＣＢ１は、力率改善回路４３ａから脈流電圧Ｖｒに対応した電圧信号（交流電源情報）を、第２電線Ｌ１２を介して受信する。制御ブロックＣＢ１は、この電圧信号の周波数に基づき（ゼロクロス点に基づき）、脈流電圧Ｖｒが第１変換回路４３ｃに入力されているか否かの判定処理を行う。なお、制御ブロックＣＢ１の動作中、この判定処理は定期的に行われている。
【００７８】
ここでは脈流電圧Ｖｒが入力されているため、第２制御回路４４ｂは、第３電線Ｌ１３を介して、制御電圧Ｖｃｃを第１制御回路４３ｄのコンピュータ（例えばマイクロコンピュータ）に供給する。その結果、第１制御回路４３ｄのコンピュータが動作を開始し、第１制御回路４３ｄの制御の下で、第１変換回路４３ｃの昇圧動作が開始される。このとき、第２制御回路４４ｂは、第１変換回路４３ｃで昇圧された電圧が正常な範囲にあることを確認してから降圧チョッパブロック４４０ｂの降圧動作を開始することが好ましい。そして、降圧チョッパブロック４４０ｂの降圧動作の開始により、ＬＥＤモジュール５のＬＥＤ素子５２，５３が点灯する。
【００７９】
続いて、例えばスイッチＳＷ０がオンからオフに切り替えられると、あるいは交流電源Ｅ１の停電が発生すると、制御ブロックＣＢ１は、上記判定処理を通じて、脈流電圧Ｖｒが第１変換回路４３ｃに入力されていないと判定する。そして、制御ブロックＣＢ１は、制御電圧Ｖｃｃの第１制御回路４３ｄへの供給を止めて、第１変換回路４３ｃの昇圧動作を停止する。また、制御ブロックＣＢ１は、降圧チョッパブロック４４０ｂの降圧動作を停止する。
【００８０】
ここで、交流電源Ｅ１の停電時に、制御ブロックＣＢ１は、所定の時間以上動作を継続できることが望ましい。そこで、本実施形態のコンデンサＣ１及びコンデンサＣ２の合計キャパシタンスは、交流電源Ｅ１の停電時に、第２制御回路４４ｂの動作を所定の時間以上継続するためのエネルギー（電力）を制御電源回路ＣＰ１に供給可能なキャパシタンスに設定されている。そのため、交流電源Ｅ１の停電時には、制御ブロックＣＢ１は、第１変換回路４３ｃの昇圧動作、及び降圧チョッパブロック４４０ｂの降圧動作を速やかに停止することができ、制御電圧Ｖｃｃの消費を抑えることができる。
【００８１】
ところで、スイッチＳＷ０がオンからオフに切り替え後に再度例えば２秒以内にオンにすることで、ＬＥＤモジュール５の光出力レベルを例えば１００％から５０％へ切り替える機能（いわゆるワンツー機能）が照明装置２に付与される場合がある。この点を考慮すれば、上述した所定の時間は、２秒程度以上であることが好ましい。すなわち、ワンツー操作時において、スイッチＳＷ０が一時的にオフされたときに、制御ブロックＣＢ１は、最低でも２秒以上動作を継続できるように、コンデンサＣ１及びコンデンサＣ２のキャパシタンスが設定されていることが好ましい。なお、ワンツー機能において、光出力レベルの切り替えの代わりに、主光源であるＬＥＤモジュール５の点灯と、副光源となる常夜灯の点灯とを交互に切り替え可能であってもよい。
【００８２】
最後に、第１電線Ｌ１１が断線、又はコネクタ４３５，４４５に抜けやルーズコンタクト状態等が発生している場合（つまり、配線異常が発生している場合）における電源装置４２の動作について説明する。
【００８３】
例えばスイッチＳＷ０がオフからオンに切り替えられると、交流電源Ｅ１からの交流電圧Ｖａｃの供給が開始される。第１回路ブロック４３の力率改善回路４３ａでは、入力回路４３ｂが交流電圧Ｖａｃを全波整流した脈流電圧Ｖｒを生成し、突入電流防止回路４３ｅを介して、第１変換回路４３ｃへ出力する。
【００８４】
ただし、第１制御回路４３ｄは、第２回路ブロック４４の第２制御回路４４ｂから制御電圧Ｖｃｃを受け取っていないので、第１変換回路４３ｃの昇圧動作も開始されていない。一方で、第１変換回路４３ｃ内のコンデンサＣ１は、脈流電圧Ｖｒのピーク電圧に充電される。しかし、上記の配線異常の発生に起因して、第２回路ブロック４４のフィルタ回路４４０ａのコンデンサＣ２は充電されない。そのため、第２制御回路４４ｂの制御電源回路ＣＰ１による制御電圧Ｖｃｃの生成は行われず、結果、制御ブロックＣＢ１のコンピュータの動作も行われない。したがって、制御電圧Ｖｃｃは、第１制御回路４３ｄへ供給されず、結果、第１変換回路４３ｃの昇圧動作も停止状態が維持されることになる。
【００８５】
そのため、上記の配線異常が発生しているにも関わらず、第１変換回路４３ｃの昇圧動作が行われてしまうという事態を低減することができる。したがって、上記の配線異常の発生箇所で異常放電が起きてしまうことを抑制することができる。また、上記の配線異常の発生時に、第１変換回路４３ｃが動作して無用な電力消費が発生することも抑制できる。
【００８６】
なお、第２電線Ｌ１２又は第３電線Ｌ１３が断線している場合においても、制御電圧Ｖｃｃは、第１制御回路４３ｄへ供給されず、結果、第１変換回路４３ｃの昇圧動作も停止状態が維持されることになる。したがって、この場合も、第１変換回路４３ｃが動作して無用な電力消費が発生することを抑制できる。
【００８７】
このように、本実施形態の電源装置４２を有する照明装置２においては、引掛シーリングアダプタ１０２が挿入されるための挿入空間４０３が、ケース３の長手方向における中央に配置されている。そのため、回路基板の配置スペースを考慮すると、本実施形態のように第１基板４３１と第２基板４４１の２つに分割し、これらの回路基板が挿入空間４０３を間に挟むようにケース３に収容することが要求される場合がある。
【００８８】
しかし、分割した２つの回路基板を単にケーブル（電線）で電気的に接続するだけでは、当該ケーブルの断線又は抜け等の異常が発生すると回路動作の信頼性が損なわれる可能性がある。また、当該ケーブルがアンテナとなり電磁ノイズの障害が発生して動作が不安定になるという可能性もある。
【００８９】
一方、本実施形態では、上述したように第２制御回路４４ｂは、脈流電圧Ｖｒが第１変換回路４３ｃに入力されているか否かを判定する判定処理を行なっている。そして、第２制御回路４４ｂは、脈流電圧Ｖｒが第１変換回路４３ｃに入力されていると判定したときのみ、制御電圧Ｖｃｃを第１制御回路４３ｄに供給する。したがって、動作の信頼性を維持しつつ、回路基板の配置の自由度を高めることができる。
【００９０】
特に、分割した２つの回路基板を単にケーブルで接続するだけでは、当該ケーブルがアンテナとなり電磁ノイズの障害が発生する可能性がある。しかし、本実施形態では、第１電線Ｌ１１は、交流電圧ではなく直流電圧Ｖｄｃ（昇圧電圧）が通るラインであるため、比較的ノイズの発生源となり難い。同様に、第３電線Ｌ１３についても、直流電圧である制御電圧Ｖｃｃが通るラインであるため、比較的ノイズの発生源となり難い。また、第２電線Ｌ１２についても、比較的低い周波数の電圧信号が通るラインであるため、ノイズの発生源となり難いと言える。
【００９１】
また、本実施形態では、フィルタ回路４４０ａが降圧チョッパブロック４４０ｂの前段に設けられているため、降圧チョッパブロック４４０ｂで発生するスイッチングノイズの第１電線Ｌ１１側への漏洩が抑制される。
【００９２】
（３）照明器具
ところで、本実施形態の照明装置２は、例えば図６に示す照明器具１に用いられてもよい。この照明器具１は、照明装置２と、照明装置２を支持する器具本体９とを備えている。器具本体９は、カバー９１、フレーム９２、グローブ９３、及び一対の導光部材９４，９４を有している。
【００９３】
照明装置２のケース３の下面には、フレーム９２がねじ止めされる。フレーム９２は、矩形枠形状のメインフレーム９２ａと、メインフレーム９２ａの長手方向に沿った一対のサイドフレームの中央を短手方向に連結する補強フレーム９２ｂと、を有している。そして、メインフレーム９２ａの長手方向の縁において上方に突出している突起が、ＬＥＤ基板５１に設けられている位置決め用の孔にかん合することで、フレーム９２は、ＬＥＤ基板５１と位置決めされる。
【００９４】
また、メインフレーム９２ａの長手方向に沿った一対のサイドフレームには導光部材９４がそれぞれねじ止めされる。導光部材９４は、図６に示すように、導光パネル９４ａと、ガイド部９４ｂと、複数（図示例では４つ）の取付片９４ｃとを有している。導光パネル９４ａ、ガイド部９４ｂ及び複数の取付片９４ｃは、アクリル樹脂又はポリカーボネート樹脂等の透光性を有する合成樹脂によって形成されることが好ましい。そして、取付片９４ｃがメインフレーム９２ａにねじ止めされる。
【００９５】
各導光部材９４がメインフレーム９２ａにねじ止めされると、ガイド部９４ｂの上方にはＬＥＤ素子５３ａが位置している。ガイド部９４ｂは光を反射する反射板を有しており、ＬＥＤ素子５３ａが発した光は、ガイド部９４ｂを通って導光パネル９４ａ内に導かれ、導光パネル９４ａから出射する。
【００９６】
さらにフレーム９２の下面には矩形状の平板のグローブ９３が取り付けられる。メインフレーム９２ａは、長手方向に沿ったサイドフレームに取付具９５を有している。そして、グローブ９３は、アクリル等の透光性を有する合成樹脂材料により、上面が開口する矩形箱状に形成され、取付具９５を介してフレーム９２の下面側に取り付けられる。また、グローブ９３は、照明装置２から出射される光を拡散する拡散構造を有している。なお、拡散構造は、例えば、グローブ９３の表面に形成される白色の塗膜や、グローブ９３を形成する合成樹材料に混入される拡散材、あるいはグローブ９３の表面に形成される凹凸等で実現される。このようにグローブ９３に拡散構造が設けられているため、照明空間に照射される光の均斉度をさらに向上させることができる。
【００９７】
また、ケース３の上面には、カバー９１がねじ止めされる。カバー９１は、下面を開口した矩形箱状に形成されており、上面には凹部３１１を露出させるための開口９１１を有する。
【００９８】
この照明器具１は、天井直付け形の照明器具（いわゆるシーリングライト）である。ただし、照明器具１は、シーリングライトに限定されるものではなく、吊り下げ形（いわゆるペンダント形）の照明器具、または埋込型の照明器具（いわゆるダウンライト）等であってもよい。
【００９９】
（４）変形例
以下に、いくつかの変形例について列記する。以下では上述した実施形態を「基本例」と呼ぶ。
【０１００】
基本例では、フィルタ回路４４０ａが降圧チョッパブロック４４０ｂの前段に設けられている。しかし、フィルタ回路４４０ａは、電源装置４２において必須の構成要素ではなく、省略されてもよい。ただし、スイッチングノイズが第１電線Ｌ１１へ漏洩することを抑制するために、フィルタ回路４４０ａが設けられていることが好ましい。
【０１０１】
フィルタ回路４４０ａが設けられていない場合、第１変換回路４３ｃのコンデンサＣ１単体が、停電時に、第２制御回路４４ｂの動作を所定の時間以上継続するためのエネルギーを制御電源回路ＣＰ１に供給可能なキャパシタンスを有していることが好ましい。
【０１０２】
基本例では、第２電線Ｌ１２は、突入電流防止回路４３ｅと第１変換回路４３ｃの入力端との接続点に接続されている。しかし、第２制御回路４４ｂが第１変換回路４３ｃで直流電圧Ｖｄｃに変換される前の交流成分を含んだ電力を監視できれば、第２電線Ｌ１２が接続される位置は、特に限定されない。
【０１０３】
（５）利点
以上説明したように、第１の態様に係る電源装置４２は、第１変換回路４３ｃと、第１制御回路４３ｄと、第２変換回路４４ａと、第２制御回路４４ｂと、第１基板４３１と、第２基板４４１と、を備えている。第１変換回路４３ｃは、入力される交流電力を第１直流電力に変換する。第１制御回路４３ｄは、第１変換回路４３ｃを制御する。第２変換回路４４ａは、第１直流電力を第１直流電力の電圧レベルとは異なる電圧レベルの第２直流電力に変換して負荷（ＬＥＤ素子５２，５３）に供給する。第２制御回路４４ｂは、第２変換回路４４ａを制御する。第１基板４３１には、第１変換回路４３ｃ及び第１制御回路４３ｄを構成する複数個の第１回路部品４３２が実装される。第２基板４４１には、第２変換回路４４ａ及び第２制御回路４４ｂを構成する複数個の第２回路部品４４２が実装される。第１変換回路４３ｃの出力端（Ｔ１，Ｔ２）と第２変換回路４４ａの入力端（Ｔ３，Ｔ４）とは互いに電気的に接続される。第１制御回路４３ｄは、第２制御回路４４ｂと電気的に接続され、第２制御回路４４ｂから給電されることで第１変換回路４３ｃを制御する。第２制御回路４４ｂは、入力される交流電力を監視するように構成される。第２制御回路４４ｂは、交流電力が第１変換回路４３ｃに入力されているときのみ、第１制御回路４３ｄに給電するように構成されている。第１の態様によれば、動作の信頼性を維持しつつ、配置の自由度を高めることができる。
【０１０４】
第２の態様に係る電源装置４２に関して、第１の態様において、第２制御回路４４ｂは、交流電圧が周期的にゼロクロスすることで、交流電力が第１変換回路４３ｃに入力されていると判定することが好ましい。第２の態様によれば、交流電力が第１変換回路４３ｃに入力されていることをより正確に判定することができる。
【０１０５】
第３の態様に係る電源装置４２に関して、第１又は第２の態様において、第２変換回路４４ａは、高調波成分を減衰させるフィルタ回路４４０ａを前段回路として有していることが好ましい。第３の態様によれば、第１変換回路４３ｃ又は第２変換回路４４ａで発生するスイッチングノイズの漏洩を抑制することができる。
【０１０６】
第４の態様に係る電源装置４２に関して、第３の態様において、フィルタ回路４４０ａは、交流電圧の周波数の２倍以上で、かつ、第１変換回路４３ｃ又は第２変換回路４４ａの発振周波数の最小値以下である遮断周波数を、有していることが好ましい。第４の態様によれば、スイッチングノイズの漏洩をより効果的に抑制することができる。
【０１０７】
第５の態様に係る電源装置４２に関して、第１〜第４の態様のいずれか１つにおいて、第２制御回路４４ｂは、入力端（Ｔ３，Ｔ４）に入力された第１直流電力から第１制御回路４３ｄへ給電するための制御電力を生成する制御電源回路ＣＰ１を有することが好ましい。第１変換回路４３ｃは、一対の出力端（Ｔ１，Ｔ２）間に接続されたコンデンサＣ１を有することが好ましい。コンデンサＣ１は、第１変換回路４３ｃへの交流電力の入力が停止したときに、第２制御回路４４ｂの動作を所定の時間以上継続するためのエネルギーを制御電源回路ＣＰ１に供給可能なキャパシタンスを有していることが好ましい。第５の態様によれば、例えば停電時に、第２制御回路４４ｂは、第１変換回路４３ｃ及び第２変換回路４４ａを速やかに停止することができ、消費電力（制御電圧Ｖｃｃの消費）を抑えることができる。また、例えばワンツー操作時において壁スイッチ（スイッチＳＷ０）が一時的にオフされたときに、第２制御回路４４ｂは、最低でも所定の時間以上動作を継続することができる。
【０１０８】
第６の態様に係る電源装置４２に関して、第３又は第４の態様において、第２制御回路４４ｂは、フィルタ回路４４０ａを通過した第１直流電力から第１制御回路４３ｄへ給電するための制御電力を生成する制御電源回路ＣＰ１を有することが好ましい。第１変換回路４３ｃは、一対の出力端（Ｔ１，Ｔ２）間に接続された第１コンデンサ（コンデンサＣ１）を有することが好ましい。フィルタ回路４４０ａは、少なくとも第２コンデンサ（コンデンサＣ２）を有することが好ましい。コンデンサＣ１及びコンデンサＣ２の合計キャパシタンスは、第１変換回路４３ｃへの交流電力の入力が停止したときに、第２制御回路４４ｂの動作を所定の時間以上継続するためのエネルギーを制御電源回路ＣＰ１に供給可能なキャパシタンスであることが好ましい。第６の態様によれば、例えば停電時に、第２制御回路４４ｂは、第１変換回路４３ｃ及び第２変換回路４４ａを速やかに停止することができ、消費電力（制御電圧Ｖｃｃの消費）を抑えることができる。また、例えばワンツー操作時において壁スイッチ（スイッチＳＷ０）が一時的にオフされたときに、第２制御回路４４ｂは、最低でも所定の時間以上動作を継続することができる。
【０１０９】
第７の態様に係る電源装置４２は、第１〜第６の態様のいずれか１つにおいて、第１電線Ｌ１１、第２電線Ｌ１２、及び第３電線Ｌ１３を、更に備えることが好ましい。第１変換回路４３ｃの出力端（Ｔ１，Ｔ２）と第２変換回路４４ａの入力端（Ｔ３，Ｔ４）とは、第１電線Ｌ１１を介して互いに電気的に接続されることが好ましい。第２制御回路４４ｂは、第２電線Ｌ１２を介して交流電力を監視することが好ましい。第２制御回路４４ｂは、第３電線Ｌ１３を介して第１制御回路４３ｄに給電することが好ましい。第７の態様によれば、例えば基板間コネクタで第１基板４３１と第２基板４４１とを直接接続する場合に比べて、第１基板４３１と第２基板４４１との距離の自由度を高めることができる。
【０１１０】
第８の態様に係る照明装置２は、第１〜第７の態様のいずれか１つにおける電源装置４２と、負荷として固体光源（ＬＥＤ素子５２，５３）と、を備える。第８の態様によれば、動作の信頼性を維持しつつ、配置の自由度を高めることができる電源装置４２を備えた照明装置２を提供することができる。
【０１１１】
第９の態様に係る制御方法は、第１基板４３１に回路部品（第１回路部品４３２）が実装された第１変換回路４３ｃにより、入力される交流電力を第１直流電力に変換すること、を備える。また、制御方法は、第２基板４４１に回路部品（第２回路部品４４２）が実装された第２変換回路４４ａにより、第１直流電力を第１直流電力の電圧レベルとは異なる電圧レベルの第２直流電力に変換して負荷（ＬＥＤ素子５２，５３）に供給すること、を備える。更に、制御方法は、第１変換回路４３ｃに入力される交流電力を監視すること、交流電力が第１変換回路４３ｃに入力されているときのみ、第１変換回路４３ｃを制御する制御回路（第１制御回路４３ｄ）に給電すること、を備える。第９の態様によれば、動作の信頼性を維持しつつ、配置の自由度を高めることができる。
【符号の説明】
【０１１２】
２  照明装置
４２  電源装置
４３ｃ  第１変換回路
４３ｄ  第１制御回路
４３１  第１基板
４３２  第１回路部品
４４ａ  第２変換回路
４４ｂ  第２制御回路
４４１  第２基板
４４２  第２回路部品
４４０ａ  フィルタ回路
５２，５３  ＬＥＤ素子（負荷）
Ｔ１，Ｔ２  出力端
Ｔ３，Ｔ４  入力端
ＣＰ１  制御電源回路
Ｃ１  コンデンサ（第１コンデンサ）
Ｃ２  コンデンサ（第２コンデンサ）
Ｌ１１  第１電線
Ｌ１２  第２電線
Ｌ１３  第３電線
【図１】
2019033648.tif 000003
【図２】
2019033648.tif 000004
【図３】
2019033648.tif 000005
【図４】
2019033648.tif 000006
【図５】
2019033648.tif 000007
【図６】
2019033648.tif 000008